(57)【要約】【課題】汎用の机のいろいろな板厚を有する上板の縁部に後付けで着脱自在に装着することができるようにしたペーパーシュレッダーを提供する。【解決手段】ペーパーシュレッダー１は、机の上板の縁部に着脱自在に装着されるクランプユニット１０と、クランプユニット１０の配置枠１１に嵌入されて配置されるシュレッダー本体２０と、シュレッダー本体２０の下面側に取り付けられるダストバッグ４１を備えるダストバッグユニット４０とを有する。【選択図】図２
0003112581.tif 000002
【実用新案登録請求の範囲】
【請求項１】
支持板部材と、当該支持板部材に対して固定ネジの締め込み量によって高さ調整可能な可動板部材との間で机の上板の縁部を挟み込むことで当該机に着脱自在に装着されるクランプユニットと、
前記クランプユニットに取り付けられるシュレッダー本体と、
前記シュレッダー本体の下面側に取り付けられるダストバッグユニットと
を有することを特徴とするペーパーシュレッダー。
【請求項２】
前記シュレッダー本体が前記クランプユニットの配置枠に嵌入されて配置されるようになっていて、前記クランプユニットに対する前記シュレッダー本体の取り付け方向を異ならしめることによって、机の上板に対して左右前後のどちらの方向からでも装着できる請求項１記載のペーパーシュレッダー。
【請求項３】
前記ダストバッグユニットが、前記シュレッダー本体に設けられた錠によって固定的に取り付けられる請求項１または請求項２記載のペーパーシュレッダー。
【考案の詳細な説明】
【技術分野】
【０００１】
本考案はペーパーシュレッダーに関し、特に銀行，郵便局等の金融機関や、市役所，区役所等の公共機関、あるいは病院，医院等の医療機関などの各種機関において書き損じの伝票裁断用に使用されるのに好適なペーパーシュレッダーに関する。
【背景技術】
【０００２】
例えば、金融機関の顧客窓口において代金，税金等を振り込んだり、口座から預金を引き出したりする際に、当該金融機関が予め用意した小型の書類（以下、伝票と総称する）に自己の口座番号，相手先の口座番号，金額等の所定事項を記入して顧客窓口に提出する必要がある場合がある。
【０００３】
この伝票への書き込みには、金融機関に備え付けられた記帳台等の机を使用することが一般的であるが、伝票への必要事項の書き込みの際には書き損じが生じることがしばしばである。この書き損じた伝票には自己の口座番号，金額等のプライバシーに関する事項が記入されていることがあるが、従来は、書き損じた伝票は、単に記帳台等の机あるいはその近傍に配置されたごみ箱に投げ捨てられているだけであった。
【０００４】
上述の事情は、市役所，区役所等の公共機関における住民票の請求，印鑑証明の請求等の場合や、病院，医院等の医療機関における診療申込書の記入等の場合にも全く同様である。
【０００５】
そこで、本願出願人は、書き損じた伝票を即座に裁断処理可能なシュレッダー付き伝票記入用デスクをすでに提案した（特許文献１参照）。このシュレッダー付き伝票記入用デスクは、従来、床設置型が一般的であったペーパーシュレッダーを、机の上板に孔を開けて固定するようにしたものである。
【特許文献１】特開平１１−２７６２６０号公報（第２−３頁、図１）
【考案の開示】
【考案が解決しようとする課題】
【０００６】
しかしながら、従来のシュレッダー付き伝票記入用デスクは、ペーパーシュレッダーをデスクの上板に孔を開けて固定するものであったので、デスクを含めた専用品となり、価格が高価であるとともに、デスクのいろいろな板厚の上板に対応することができるものではないという課題があった。
【０００７】
本考案の目的は、汎用の机のいろいろな板厚を有する上板の縁部に後付けで着脱自在に装着することができるようにしたペーパーシュレッダーを提供することにある。
【課題を解決するための手段および考案の効果】
【０００８】
請求項１記載のペーパーシュレッダーは、支持板部材と、当該支持板部材に対して固定ネジの締め込み量によって高さ調整可能な可動板部材との間で机の上板の縁部を挟み込むことで当該机に着脱自在に装着されるクランプユニットと、前記クランプユニットに取り付けられるシュレッダー本体と、前記シュレッダー本体の下面側に取り付けられるダストバッグユニットとを有することを特徴とする。請求項１記載のペーパーシュレッダーによれば、ペーパーシュレッダーを汎用の机の上板の縁部に後付けで着脱自在に装着することができるようにしたので、どのような板厚の上板を有する机にも対応することができる。また、机の上板の縁部に装着するだけなので、安価に製造できるとともに、設置場所をとらないという利点もある。
【０００９】
請求項２記載のペーパーシュレッダーは、請求項１記載のペーパーシュレッダーにおいて、前記シュレッダー本体が前記クランプユニットの配置枠に嵌入されて配置されるようになっていて、前記クランプユニットに対する前記シュレッダー本体の取り付け方向を異ならしめることによって、机の上板に対して左右前後のどちらの方向からでも装着できることを特徴とする。請求項２記載のペーパーシュレッダーによれば、机の配置場所に応じてクランプユニットに対するシュレッダー本体の取り付け方向を変えることによって、机に対してシュレッダー本体を装着する位置を任意に変更することができる。
【００１０】
請求項３記載のペーパーシュレッダーは、請求項１または請求項２記載のペーパーシュレッダーにおいて、前記ダストバッグユニットが、前記シュレッダー本体に設けられた錠によって固定的に取り付けられることを特徴とする。請求項３記載のペーパーシュレッダーによれば、ダストバックフレームがシュレッダー本体に錠によって固定されるので、鍵を持つ特定の者しか裁断されたペーパー屑を取り出すことができないことから、情報漏洩を防止することができる。
【考案を実施するための最良の形態】
【００１１】
ペーパーシュレッダーを机の上板の縁部に後付けで着脱自在に装着できるようにして、机を改造することなく、いろいろな板厚の上板を有する机にペーパーシュレッダーを容易に設置できるようにした。
【実施例１】
【００１２】
次に、本考案の実施例１に係るペーパーシュレッダー１について図面を用いて説明する。
【００１３】
図１および図２は、本考案の実施例１に係るペーパーシュレッダー１を示す斜視図および分解斜視図である。本実施例１に係るペーパーシュレッダー１は、クランプユニット１０と、クランプユニット１０の配置枠１１内に嵌入されて配置されビス５０によって固定される直方体箱状のシュレッダー本体２０と、シュレッダー本体２０の上面に被せられてビス５０によって固定されるトップカバー３０と、シュレッダー本体２０の下面側に取り付けられるダストバッグユニット４０とから、その主要部が構成されている。
【００１４】
図３は、ペーパーシュレッダー１の要部を示す断面図である。図３に示すように、クランプユニット１０は、シュレッダー本体２０を嵌入させて配置する直方体枠状の配置枠１１と、配置枠１１の一側面に固着された上下一対の支持板部材１２，１２と、下側の支持板部材１２に対して固定ネジ１４の締め込み量によって高さ調整可能な可動板部材１３とから構成されている。配置枠１１がシュレッダー本体２０を嵌入する直方体枠状に形成されているので、シュレッダー本体２０をクランプユニット１０に取り付け際には、図１に示すように、クランプユニット１０を左側にしたときに投入口３１が手前側になるように取り付けることも、図２に示すように、クランプユニット１０を右側にしたときに投入口３１が手前側になるように取り付けることもできる。クランプユニット１０は、上側の支持板部材１２と、下側の支持板部材１２に対して固定ネジ１４の締め込み量によって高さ調整可能な可動板部材１３との間で机１００の上板１０１（図１０参照）の縁部を挟み込むことによって、机１００に着脱自在に装着される。なお、固定ネジ１４は、工具を使用しての締め込みとし、安全性を考慮して人の素手では容易に緩められないようになっている。
【００１５】
シュレッダー本体２０は、トップカバー３０の上面中央に切り込まれＶ字状に折り曲げられて形成された投入口３１の下方に設けられ伝票をカッター２２，２２に案内する断面クランク状の一対のペーパーガイド２１，２１と、ペーパーガイド２１，２１の下方に配置され回転しながら伝票を裁断する一対のカッター２２，２２と、シュレッダー本体２０に投入された伝票を検出する光学式（反射型または透過型）の一対のセンサー２９，２９（図４参照）と、カッター２２，２２の下方に穿設された排出口２４と、シュレッダー本体２０の下面に突設された一対のダストバッグホルダー２５，２５と、一方のダストバッグホルダー２５に固設された錠２６（図７参照）とを含んで構成されている。
【００１６】
カッター２２，２２は、本考案の要部とは直接的な関係がないので詳細な図示は省略するが、カッターシャフト６９ａ，６９ｂ（図４参照）に、一対の略円盤状の回転刃と、一対のスペーサー２３，２３と、スペーサー２３，２３に嵌め込まれたリングスペーサーとが順次挿通されて所定の長さに形成されており、回転刃が互いに噛み合うかのように、平行に近接して配置されている（前記特許文献１参照）。
【００１７】
図４は、シュレッダー本体２０内部の動力伝達経路を示す要部断面図である。モータ６０の回転軸には、歯車６１が螺刻されており、この歯車６１は、大径の歯車６２および中径の歯車６３からなる二段歯車の、大径の歯車６２に噛合されている。中径の歯車６３は、カッターシャフト６９ｂに回転自在に遊嵌された大径の歯車６４および中径の歯車６５からなる二段歯車の、大径の歯車６４に噛合されている。中径の歯車６５は、カッターシャフト６９ａの一端（図４で見て右端）に固着された歯車６６に噛合されている。カッターシャフト６９ａの他端（図４で見て左端）には、歯車６７が固着されており、この歯車６７には、カッターシャフト６９ｂの他端（図４で見て左端）に固着された同径の歯車６８に噛合されている。歯車６１〜６６は、モータ６０の回転を減速してカッター２２，２２に伝える減速歯車機構を構成している。
【００１８】
図５，図６，図７，および図８は、ペーパーシュレッダー１のダストバッグユニット４０を外した状態での斜視図，平面図，下面図，および正面図である。
【００１９】
ペーパーシュレッダー１（トップカバー３０）の上面側には、図５および図６に示すように、投入口３１と、３位置のトグルスイッチでなる電源スイッチ３２と、ペーパーシュレッダー１への電源投入を表示するＬＥＤ（Light Emitting Diode）等からなる電源ランプ３３とが配置されている。なお、電源スイッチ３２および電源ランプ３３は、シュレッダー本体２０の上面に設けられていて、トップカバー３０に穿設された孔から露呈している。電源スイッチ３２が中央位置にあるときには、ペーパーシュレッダー１への電源の供給が行われていない状態である。この状態から、電源スイッチ３２を裁断側に設定すると、モータ６０の回転が正回転に設定され、逆転側に設定すると、モータ６０の回転が逆回転に設定される。裁断側は通常の裁断動作のモードであり、逆転側は厚い伝票等を投入してカッター２２，２２がジャムした場合にカッター２２，２２を逆回転させて、伝票を取り出すためのモードである。
【００２０】
ペーパーシュレッダー１（シュレッダー本体２０）の下面側には、図７および図８に示すように、排出口２４と、一対のダストバッグホルダー２５，２５と、一方のダストバッグホルダー２５に固設された錠２６と、電源回路のショート時に作動するブレーカー２７と、電源コード用開口部２８とが配置されている。
【００２１】
図９は、図１中に示したダストバッグユニット４０におけるダストバッグ４１を斜線を付して示す斜視図である。ダストバッグユニット４０は、ダストバッグ４１と、ダストバッグフレーム４２とから構成されている。
【００２２】
ダストバッグフレーム４２は、図２に示すように、板体で長方形枠状に形成されており、その短辺にはシュレッダー本体１０の一対のダストバッグホルダー２５，２５にスライド挿入され、錠２６によって固定される支持枠部４２ａ，４２ａがダストバッグフレーム４２から若干離間するように突設されている。また、ダストバッグフレーム４２の外周面には、ダストバッグ４１を取り付けるための複数の係止ピン４２ｂが突設されている。
【００２３】
ダストバッグ４１は、半透明のプラスチック等で縦長の直方体箱状に形成されており、図９中に斜線を付して示すように、上端開口縁部を一旦、ダストバッグフレーム４２の枠内を通した後に枠外に折り曲げて複数の係止ピン４２ｂに自身の孔を嵌入させて取り付けられている。なお、ダストバッグ４１の短辺の上端開口縁部は、ダストバッグフレーム４２と支持枠部４２ａ，４２ａとの間隙を挿通されてから、係止ピン４２ｂに取り付けられている。
【００２４】
ダストバッグユニット４０は、ダストバッグフレーム４２の支持枠部４２ａ，４２ａをシュレッダー本体２０の下面部に突設されたダストバッグホルダー２５，２５に正面側から背面側へスライド挿入することにより着脱可能に取り付けられる。なお、ダストバッグユニット４０は、ダストバッグホルダー２５に設けられた錠２６によって固定されるようになっている。
【００２５】
図１０は、本考案の実施例１に係るペーパーシュレッダー１の配置態様を例示する斜視図である。図１０では、机１００の上板１０１の右側縁部および左側縁部にそれぞれペーパーシュレッダー１が装着されている。このとき、ペーパーシュレッダー１の投入口３１をともに手前側にしてペーパーシュレッダー１を配置することができる。すなわち、図２に示したように、クランプユニット１０に対するシュレッダー本体２０の取り付け方向を変えることによって、投入口３１を手前側にしたシュレッダー本体２０に対してクランプユニット１０を左側および右側のいずれの側にも配置させることができるため、２つのペーパーシュレッダー１を投入口３１を手前側にして机１００の上板１０１の左右両側縁部に取り付けることができる。また、特に図示しなかったが、２つのペーパーシュレッダー１を投入口３１を左側にして机１００の上板１０１の前後両側縁部に取り付けることもできる。なお、図１０中、符号１０２は、ペーパーシュレッダー１を家庭用１００Ｖのコンセントに接続するための電源コードを示す。
【００２６】
次に、このように構成された実施例１に係るペーパーシュレッダー１の動作について説明する。なお、ここでは、本実施例１に係るペーパーシュレッダー１が金融機関に設置されている記帳台等の机１００に装着されて使用される場合を想定して動作を説明する。
【００２７】
通常は、電源スイッチ３２を裁断側に設定しておく。すると、ペーパーシュレッダー１は動作可能状態となるが、センサー２９，２９が伝票の挿入を検知していないので、この状態ではモータ６０には給電されず、カッター２２，２２は停止したままである。
【００２８】
金融機関の顧客は、各種伝票に記入する際には、記帳台等の机１００に向かい、ボールペン等の筆記具で伝票に必要事項を記入する。そして、記入事項を再確認して間違いがなければ、所定箇所に印鑑で捺印した後、記入済の伝票を顧客窓口に提出する。
【００２９】
一方、伝票を書き損じた場合（記入ミスの場合）には、顧客は、その伝票をペーパーシュレッダー１の投入口３１に挿入する。すると、投入口３１から挿入されてきた伝票は、ペーパーガイド２１，２１にガイドされて落下し、途中でセンサー２９，２９により検知される。この伝票の検知により、モータ６０に給電が開始されてモータ６０が正回転する。
【００３０】
モータ６０が正回転すると、モータ６０の回転軸の歯車６１が正回転し、歯車６２および６３からなる二段歯車が逆回転し、歯車６４および６５からなる二段歯車が正回転し、歯車６６が逆回転して、一方のカッター２１が逆回転する。さらに、歯車６７が逆回転することにより、歯車６８が正回転し、他方のカッター２１が正回転する。これにより、一対のカッター２２，２２は互いに反対方向に回転し、上方から挿入されてきた伝票を銜え込んで引き込みながら伝票を裁断する。
【００３１】
このようにして、伝票の裁断が続けられ、伝票の上端がセンサー２９，２９間を通過すると、センサー２９，２９はこれを検知するが、直ぐにはモータ６０への給電を停止せずに、伝票が完全に裁断されるだけの所定時間が経過するまでモータ６０への給電を続行する。
【００３２】
そして、伝票がカッター２２，２２間を完全に通過して裁断された状態になる所定時間が経過すると、モータ６０への給電が停止され、カッター２２，２２の駆動、すなわちペーパーシュレッダー１の駆動が停止される。
【００３３】
なお、伝票の裁断片は、自重で落下し、排出口２４を通過して、下方に配置されたダストバッグユニット４０に溜められていく。
【００３４】
したがって、顧客は、他人に知られたくない口座番号，金額等が記入された書き損じた伝票を書き損じた場所で即座に裁断処分することができる。
【００３５】
なお、厚手の伝票を投入するなどしてペーパーシュレッダー１に伝票がジャムした場合には、電源スイッチ３２を逆転側に設定してモータ６０を逆回転させることにより、一方のカッター２１が正回転、他方のカッター２１が逆回転して、伝票をペーパーシュレッダー１から簡単に取り出すことができる。
【００３６】
また、ダストバッグユニット４０が伝票の裁断片で満杯になった場合には、金融機関の職員が鍵（図示せず）を使ってダストバッグユニット４０に掛けられた錠２６を外し、ダストバッグユニット４０をダストバッグホルダー５２から引き出して取り外し、ダストバッグ４１内の伝票の裁断片を廃棄処分した後に、ダストバッグユニット４０をダストバッグホルダー５２にスライド挿入して、鍵を使って錠２６を再度掛けて固定すればよい。
【００３７】
ところで、上記実施例１の動作の説明においては、本実施例１に係るペーパーシュレッダー１が金融機関に設置されている記帳台等の机１００に装着されて使用される場合を想定して動作を説明したが、本実施例１に係るペーパーシュレッダー１がどのような場所に設置されている机１００に装着されて使用される場合にも全く同様の動作になることはいうまでもない。
【００３８】
以上、本考案の実施例１を説明したが、これはあくまでも例示にすぎず、本考案はこれに限定されるものではなく、実用新案登録請求の範囲の趣旨を逸脱しない限りにおいて、当業者の知識に基づく種々の変更が可能である。
【図面の簡単な説明】
【００３９】
【図１】本考案の実施例１に係るペーパーシュレッダーの斜視図。
【図２】本考案の実施例１に係るペーパーシュレッダーの分解斜視図。
【図３】本考案の実施例１に係るペーパーシュレッダーのダストバッグユニットを外した状態での要部断面。
【図４】本考案の実施例１に係るペーパーシュレッダーの動力伝達経路を示す要部断面図。
【図５】本考案の実施例１に係るペーパーシュレッダーのダストバッグユニットを外した状態での斜視図。
【図６】本考案の実施例１に係るペーパーシュレッダーのダストバッグユニットを外した状態での平面図。
【図７】本考案の実施例１に係るペーパーシュレッダーのダストバッグユニットを外した状態での下面図。
【図８】本考案の実施例１に係るペーパーシュレッダーのダストバッグユニットを外した状態での正面図。
【図９】図１中のダストバッグを斜線を付して示す斜視図。
【図１０】本考案の実施例１に係るペーパーシュレッダーの配置態様を例示する斜視図。
【符号の説明】
【００４０】
１  ペーパーシュレッダー
１０  クランプユニット１１  配置枠１２  支持板部材１３  可動板部材１４  固定ネジ
２０  シュレッダー本体
２１  ペーパーガイド
２２  カッター
２３  スペーサー
２４  排出口
２５  ダストバッグホルダー
２６  錠
２７  ブレーカー
２８  電源コード用開口部
２９  センサー
３０  トップカバー
３１  投入口
３２  電源スイッチ
３３  電源ランプ
４０  ダストバッグユニット
４１  ダストバッグ
４２  ダストバッグフレーム
４２ａ  支持枠部
４２ｂ  係止ピン
【図１】
0003112581.tif 000003
【図２】
0003112581.tif 000004
【図３】
0003112581.tif 000005
【図４】
0003112581.tif 000006
【図５】
0003112581.tif 000007
【図６】
0003112581.tif 000008
【図７】
0003112581.tif 000009
【図８】
0003112581.tif 000010
【図９】
0003112581.tif 000011
【図１０】
0003112581.tif 000012